(57)【要約】【課題】  加熱手段の弾性層の変形による記録媒体への横帯状の画質不良を低減することである。【解決手段】  非印刷時に所定の時間間隔で周期的に加熱手段を所定の角度回転させる電子写真装置の制御方法において、加熱手段の定着温度近傍で非印刷状態を保つ高温放置状態で加熱手段を所定の角度回転させる時間周期と、定着温度よりも低い温度で非印刷状態を保つ低温放置状態で加熱手段を所定の角度回転させる時間周期と高温放置状態から低温放置状態へ移行する時間の関係を所定の関係に保つ電子写真装置の制御方法とする。【効果】  長時間放置された場合にも前回印字時からの時間に基づき、加熱手段を所定角度回転させることにより、弾性層の変形を低減することができる。【選択図】  図１
2005326639.tif 000002
【特許請求の範囲】
【請求項１】
印刷すべき画像情報に基づき記録媒体にトナー像を付着させ、前記トナー像に熱を加える加熱手段と前記トナー像を前記記録媒体に定着させる加圧手段を備えた定着装置を有する電子写真装置であって、
非印刷時に所定の時間間隔で周期的に前記加熱手段を所定の角度回転させる前記電子写真装置の制御方法において、
前記加熱手段の定着温度近傍で非印刷状態を保つ高温放置状態で前記加熱手段を所定の角度回転させる時間周期ｔａと、
前記定着温度よりも低い温度で非印刷状態を保つ低温放置状態で前記加熱手段を所定の角度回転させる時間周期ｔｂと、
前記高温放置状態から前記低温放置状態へ移行する時間Ｔの関係は、ｔａ＜Ｔ＜ｔｂであることを特徴とする電子写真装置の制御方法。
【請求項２】
前記時間周期ｔａを１時間以下とし、かつ前記時間周期ｔｂを２４時間以下と定めたことを特徴とする請求項１記載の電子写真装置の制御方法。
【発明の詳細な説明】
【技術分野】
【０００１】
本発明は、紙、ＯＨＰシートなどの記録媒体に印字印画を行う電子写真装置の制御方法に関するものである。
【背景技術】
【０００２】
画像情報に基づき記録媒体上に記録画像を出力する電子写真装置においては、顔料入り乾式トナーの記録媒体への定着に、トナーを溶融・定着させる加熱手段と加圧手段を備えた構成の熱定着方式の定着装置が広く利用されている。
【０００３】
特に、カラー画像の定着装置においては、複数層に重ねられたトナーを定着するため、大きい熱エネルギーを加えて熱定着を実現するため、ニップ部の幅を広くとる必要があり、加熱手段である定着ローラは、中空の芯金の外周にシリコンゴムなどよりなる弾性層を設け、その弾性変形を利用して広いニップ部の幅を確保する場合がある。
【０００４】
また、定着装置の使い勝手を向上するために、ニップ部でトナーが定着ローラに付着しにくくするため、離型剤（オイル）を供給する方式は、オイルボトル交換、オイル垂れなどの問題があり使い勝手が悪いため、ワックスを含有するオイルレストナーを用いる場合もあるが、オイルレストナーは硬い殻に覆われているため、定着するには、高い圧力を付与する必要がある。
【０００５】
このような弾性層を有し、高圧力で加圧される定着ローラを用いる定着装置においては、弾性層は、長時間加圧された状態で静止放置されると、弾性層が変形して、印字時の画像に定着ローラの１回転周期ごとに横帯状の画像不良が発生するという課題がある。
【０００６】
従来、上記課題を解決するために、下記の技術が開示されている。
（１）非印字時に定着ローラから加圧ローラを退避させる能動的手段を設ける構成（例えば、特許文献１および特許文献２参照）。
（２）定着ローラの高温時には、定着ローラ芯金と加圧ローラ芯金から離れ、低温時には、定着ローラ芯金と加圧ローラ芯金を引き離すことのできる熱反応型受動部材を設ける構成（例えば、特許文献３参照）。
【０００７】
しかしながら、（１）の方式は、加圧ローラに能動的に外力を加えて定着ローラから引き離す構成のため、安定した定着ローラの加圧ローラの加圧からの解放を実現できる利点はあるが、カムやアクチュエータが必要になり、高価な構成になる。
【０００８】
一方、（２）の方式は、受動的な手段のみで構成できるため、安価な構成で実現できる可能性はあるが、熱に反応して安定した両芯金の離接動作が実現できるか課題がある。
【０００９】
【特許文献１】特開平１０−１０９１２号公報
【００１０】
【特許文献２】特開２００３−１５４５５号公報
【特許文献３】特開２００２−１７４９７８号公報
【発明の開示】
【発明が解決しようとする課題】
【００１１】
本発明が解決すべき課題は、加熱手段の弾性層の変形を安価な制御方法を用いることで安定して低減し、横帯状の画質不良を低減することである。
【課題を解決するための手段】
【００１２】
印刷すべき画像情報に基づき記録媒体にトナー像を付着させ、トナー像に熱を加える加熱手段とトナー像を記録媒体に定着させる加圧手段を備えた定着装置を有する電子写真装置であって、非印刷時に所定の時間間隔で周期的に加熱手段を所定の角度回転させる電子写真装置の制御方法において、加熱手段の定着温度近傍で非印字状態を保っている高温放置状態で加熱手段を所定の角度回転させる時間周期ｔａと、定着温度よりも低い温度で非印字状態を保っている低温放置状態で加熱手段を所定の角度回転させる時間周期ｔｂと、高温放置状態から低温放置状態へ移行する時間Ｔの関係は、ｔａ＜Ｔ＜ｔｂである電子写真装置の制御方法とする。
【発明の効果】
【００１３】
本発明の定着装置の非印字状態における制御方法は、加熱手段の弾性層の変形量を低減するため、長時間放置された場合にも前回印字時からの時間に基づき、加熱手段を所定角度回転させることにより、弾性層の変形を低減することができる。
【発明を実施するための最良の形態】
【００１４】
本発明の電子写真装置における定着装置の制御方法の一実施例について、図１から図１１を用いて説明する。
【００１５】
定着装置の構成を図３および図４の模式図で説明する。本実施例の定着装置は、離型剤（オイル）を供給することなく定着を実現可能なオイルレストナー方式を用いている。さらにトナーを複数層重ねて定着するカラー画像印画に好適な広いニップ幅（用紙を加熱加圧するニップ部の定着ローラ円周方向の長さ）を実現できる構成でもある。
【００１６】
図３は、加熱手段である定着ローラ２と加圧手段である加圧ベルト３から構成される定着装置１である。定着ローラ２は、ハロゲンランプなどからなるヒータ４を内蔵し、アルミ、鉄などからなる中空芯金５の周囲にシリコンゴムなどからなる弾性層６が設けられている。中空芯金５の周囲には、トナーなどが付着することを防止するために、フッ素樹脂層などからなる離型層７が設けられている。定着ローラ２には、エンドレス形状のベルト８が巻きかけられており、ベルト８はその内面から、加圧部材９ａ，９ｂ，９ｃにより、定着ローラ２側に加圧されて、定着ローラ２との間にニップ部を構成している。加圧部材９ａ，９ｂ，９ｃを定着ローラ２側に加圧する手段として、加圧バネ１２ａ，１２ｂ，１２ｃが設けられている。加圧部材９ａ，９ｂとベルト８の間には、低摩擦部材２４が設けられている。低摩擦部材２４は、例えば１層もしくは複数層の繊維により構成され、潤滑剤を含浸させた構成である。本構成により、初期的および経時的なベルト８の内面と加圧部材９ａ，９ｂの間の低摩擦化を図ることができ、定着ローラ２の回転により従動回転するベルト８の回転の安定化と、定着ローラ２の回転トルクの低減を実現している。
【００１７】
加圧部材９ａ，９ｂは、支持部材１１にとりつけられている。更に支持部材１１は、支点１３回りに揺動可能な揺動アーム１０にとりつけられている。揺動アーム１０は、定着ローラ２の回転軸方向の両端に一対設けられている。二つの揺動アームは、各々に設けた加圧バネ１２ｂにより加圧されている。本構成により、記録媒体１４上に付着したトナー１５は、定着ローラ２によって溶融され、加圧ベルト３によって加圧されて記録媒体１４に定着される。
【００１８】
図４に示す定着装置１は、定着ローラ２と加圧ローラ１６を有している。定着ローラ２は、図３と同一構成であり、同一の番号を用いている。加圧ローラ１６は、ヒータ１７の内蔵された中空芯金１８の周囲にシリコンゴムなどからなる弾性層１９が設けられ、弾性層１９の周囲に離型層２０が設けられている。加圧ローラ１６の中空芯金１８は、加圧バネ２１により定着ローラ２側に加圧されている。
【００１９】
次に、図３の定着装置を例にとり、定着ローラ弾性層の変形に伴う画質不良について、図５および図６を用いて説明する。
【００２０】
図５は、定着装置の加圧放置時における定着ローラ２の断面形状を示したものである。弾性層６は、加圧部材９ａ，９ｂ，９ｃにより、低摩擦部材２４、ベルト８、離型層７を介して加圧されることにより、それに対応した変形部２２ａ，２２ｂ，２２ｃが発生する。ここで、変形量δ、定着ローラ外径Ｄ、とする。
【００２１】
このように弾性層６が変形した定着ローラ２で定着、特に記録媒体１４としてＯＨＰに印刷を実行すると図６のように定着ローラ２が１回転するごとの間隔（πＤ）で、変形部２２ａ，２２ｂ，２２ｃに対応した低透過特性箇所２３ａ，２３ｂ，２３ｃによって横帯状の画質不良が発生することになる。
【００２２】
この画質不良について調べたところ、下記の構成の定着ローラにおいて、図７に示す画質不良の目視確認結果が得られた。
定着ローラ構成：外径（Ｄ＝４０ｍｍ），弾性層（２０Ｈｓシリコンゴム、厚さ０．８ｍｍ），離型層（ＰＦＡ（パーフルオロアルコキシ）チューブ、厚さ０．０３ｍｍ）。
【００２３】
これから弾性層の変形量δ＝０．０１５ｍｍでは、画質不良はみられないが、δ＝０．０２５ｍｍでは、画質不良がみられる結果であった。δ＝０．０２５ｍｍの条件では、定着ローラの窪みにより、局所的な圧力低下により透過特性が低下している。
【００２４】
この結果から、弾性層の変形量が小さい場合は画質不良が顕在化しないため、弾性層の変形をモデル化し、定性的な特性を把握した。弾性層６の変形の力学モデルとして、その粘弾性特性を表現でき、網目状高分子材料のモデル化に適している図８に示すフォークトモデルで考えることとした（文献、固体力学の基礎、第２３７頁から第２４３頁参照、培風館、昭和５２年）。
【００２５】
フォークトモデルは、弾性要素と粘性抵抗要素の並列結合で表したもので、応力σを加えると、弾性Ｇと粘性μにより数１で示される関係が成り立ち、時刻ｔ≧０でステップ状に応力が作用する場合の歪みεの応答は数２で示される。
【００２６】
【数１】
2005326639.tif 000003
【００２７】
【数２】
2005326639.tif 000004
【００２８】
フォークトモデルに基づき、応力作用時間の長い場合、短い場合の歪みの時間変化を図９、図１０に示した。図９は、応力作用時間の長い場合の歪みの時間変化を示し、図１０は、応力作用時間の短い場合の歪みの時間変化を示している。図９と図１０の結果から、応力作用時間が短い場合は、歪みεを小さくできることが判る。
【００２９】
上記結果を基に、前回印字時点からの経過時間に基づき、ある時間間隔毎に定着ローラ２を所定の角度に回転させて、同一位置で停止させる時間を短縮することにより、定着ローラの弾性層の変形量を低減でき、画質不良を発生しにくくできると考え、電子写真装置の定着装置の非印字状態における制御方法を発明した。
【００３０】
本発明の定着装置の非印字状態における制御方法について、図１、図２、図１１を用いて説明する。
【００３１】
図１は、本制御方法を実現する制御装置の模式図である。図２は、本制御方法のフローである。また図１１は、本制御方法に基づく画質不良低減効果を示したグラフである。
【００３２】
まず、図１を用いて本発明の制御方法を実現する制御装置について説明する。定着ローラ２に内蔵されているヒータ４は、ヒータ用電源４８と接続されていてヒータ４への電源の投入もしくは切断は、コントローラ４７からのヒータＯＮ／ＯＦＦ指令に基づいて行われる。また、定着ローラ２には、その表面に温度センサ４３が設けられている。温度センサ４３は、表面に接触するセンサでも、非接触型のセンサでもよい。温度センサ４３による定着ローラ２の温度をモニタしたデータは、コントローラ４７に入力される。
【００３３】
定着ローラ２は、モータ４４より単段もしくは複数段の動力伝達部材（例えば、ギア）４２ａ，４２ｂを介して回転駆動される。モータ４４の回転方向の位置情報は、モータ４４にとりつけられたパルスエンコーダなどよりなる位置検出器４５により検出され、コントローラ４７およびモータ駆動回路４６に入力される。コントローラ４７では、前回印字時点からの経過時間をモニタしており、経過時間があるしきい値を越えると、定着ローラ２の所定角度の回転指令をモータ駆動回路４６に送り、モータ４４を所定の角度に回転させて、定着ローラ２を所定の角度に回転させる。
【００３４】
次に、図２を用いて制御方法のフローについて説明する。前回印字終了後からの経過時間tを監視し、所定角度回転を実行する最低経過時間ｔａ以上になると、定着ローラ２を回転させる。ただし、定着ローラ２が低温状態では、定着ローラ駆動トルクが高く駆動に難がある場合があり、定着ローラ２を高温状態にしてから回転動作を実行する。前回印字終了後からｔａ経過後に定着ローラ２を所定角度回転させた後、ｔａ毎に定着ローラ２を所定角度回転させることにより、定着ローラ２の弾性層６の変形を低減することができる。
【００３５】
本制御方法を行って定着ローラが低温状態で加圧放置された場合の画質不良の評価結果を、図１１を用いて説明する。ＯＨＰの画質不良レベルを３段階に分けて、定着ローラの所定角度回転無で静止放置続けたものと、１日ごとに所定角度回転を行い放置したものの画像不良レベル評価結果を示した。これから、所定角度回転無では、３日程度で許容できないレベルに悪化しているのに対して、１日ごとに微小回転（６０°）を行なったものでは、画質の急速な悪化はみられず、画質の改善効果がみられることが確認された。
【００３６】
以上から、本発明の電子写真装置の非印字状態における制御方法を実行することにより、横帯状の画質不良の発生を低減できる。
【００３７】
次に本発明の電子写真装置の非印字状態における制御方法の第二の実施例について、図１２から図１７を用いて説明する。本実施例は、定着装置が、（1）高温で放置されている場合、（2）低温で放置されている場合、（3）高温放置から低温放置への切り替えが行なわれる場合、の制御方法に関するものである。
【００３８】
図１２は、定着ローラ２の表面温度が、定着温度付近の高温状態の場合と、室温付近の低温状態の場合における弾性層６の変形量の差異を示している。高温状態では、アルミなどの熱膨張率の大きい材料からなる中空芯金５の熱膨張により外径が大きくなるため、ニップ部の熱変形量δも大きくなる。ちなみに、定着ローラ外径４０ｍｍ、アルミ製の中空芯金５の厚さ１ｍｍ、弾性層６の厚み０．８ｍｍ、フッ素樹脂の離型層７の厚さ０．０３ｍｍであって、２０℃から１７０℃への昇温で直径の０．２〜０．３ｍｍの増大がみられた。
【００３９】
高温放置状態では、低温放置状態より歪みが大きい。歪みに大小関係がある条件での歪みの時間変化のフォークトモデルによる計算例を図１３に示した。これから、高温放置状態は低温放置状態より歪みが大きいため、同一歪みεｔｈとなる経過時間を比較すると、高温時ｔＨが低温時ｔＬより小さい値をとる。
【００４０】
高温放置状態、低温放置状態における定着ローラの所定角度回転無時のＯＨＰ画質評価結果を図１４に示した。高温放置時では４ｈｒ放置でＯＨＰ画像が不良レベルに悪化するが、低温放置時では３日放置で不良レベルに悪化し、その時間の大小関係は歪みの大小関係と対応がとれている。
【００４１】
高温放置と低温放置について、高温放置は１ｈｒ毎に６０°定着ローラを回転させ、低温放置は１日毎に６０°定着ローラを回転させた場合のＯＨＰ画質評価結果を図１５に示した。これから、定着ローラの微小回転を行なうことにより、高温放置でも低温放置でもＯＨＰ画質の悪化を防ぐことができることが確認された。以上から、高温放置時は低温放置時より定着ローラの所定角度回転を行なう時間間隔を短くする必要があることが明らかになった。
【００４２】
実際の電子写真装置では、省電力化を図るため、印字終了後は高温放置を行い、ある時間経過後に低温放置に移行させる場合がある。図１６は、高温放置から低温放置へ移行する場合の制御方法のタイムチャートを示し、図１７はそのフローを示している。この制御方法について説明する。
【００４３】
まず、図１６において、前回印字終了後に高温放置状態で時間Ｔ経過するとヒータを切断し、低温放置状態に移行する場合を扱う。高温放置状態から低温放置状態に移行する過程で、定着ローラ温度がしきい温度Ｔｔｅｍｐｔｈを下回ると低温放置モードに移行したと認識し、その時点からの経過時間ｔ’を監視する。
【００４４】
高温放置状態では、時間間隔ｔａで定着ローラの微小回転動作を行い、低温放置状態では時間間隔ｔｂで定着ローラの所定回転動作を行なう。ここで、ｔｂ＞ｔａである。Ｔ＜ｔａであれば、高温放置状態での所定回転は行なわれないが、Ｔが短かすぎると使い勝手が必ずしもよくないことから、Ｔをｔａより長く設定すれば、高温放置状態で定着ローラの所定回転動作が行なわれ、ＯＨＰの横帯画質不良の軽減を図ることができる。
【００４５】
以上から、ｔａは１ｈｒ程度、ｔｂは２４ｈｒ程度が本試験で確認した適正値の例であり、画質と使い勝手を考慮するとｔａ＜Ｔ＜ｔｂであることが望ましい。
【００４６】
次にこれまで述べてきた定着装置の非印字状態における制御方法を備えた電子写真装置３０について図１８を用いて説明する。
【００４７】
駆動ローラ２６と、ベルトに張力を与えるテンションローラを兼ね備えた従動ローラ３６により垂直方向に張架され矢印方向に一定速度で回転する感光体ベルト２７と、感光体ベルト２７と接触配置される中間転写体３９と、感光体ベルト２７の表面を一様に帯電する帯電器３７と、一様に帯電された感光体ベルト２７の表面を露光して該表面に静電潜像を形成する露光装置４０と、感光体ベルト２７の水平面に当接するよう配置され静電潜像を現像してトナー像を形成する４つの現像器２５ａ，２５ｂ，２５ｃ，２５ｄと、用紙などの記録媒体３８を収納したカセット４１から記録媒体３８を給紙する給紙ローラ３４と、カセット４１より給紙された記録媒体３８の姿勢を矯正するレジストローラ３１と、トナー像を記録媒体３８に転写する転写ローラ３２と、定着装置１と、定着された記録媒体３８を機外へ排出する排紙部２９と、感光体ベルト２７表面に残留する電荷を除去するイレーズランプ３３と、残留するトナーを除去するブレード３５と、転写後に中間転写体３９表面に残留するトナーを除去するクリーナ２８を備えている。中間転写体３９は、中間転写ローラもしくは中間転写ベルトから構成される。
次に、本装置によるカラー画像の形成方法を説明する。
【００４８】
電源投入後、プリント待機状態になった電子写真装置本体に図示されない情報処理装置からプリント信号が送られると、露光装置４０より、トナー像に該当する部位にレーザ光が帯電器３７により一様に帯電された感光体ベルト２７上に照射され、感光体ベルト２７上には静電潜像が形成される。
【００４９】
まず、感光体ベルト２７上に露光装置４０によりシアン色のトナー像に対応する静電潜像を形成し、現像器２５ｄにより現像しトナー像とする。ここで、現像器２５ｄはシアン色のトナーを使用し、現像器２５ｃはマゼンタ色のトナーを使用し、現像器２５ｂはイエロー色のトナーを使用し、現像器２５ａはブラック色のトナーを使用し、各現像器にはバイアス電圧を制御することにより現像機能が付与または消失されるようになっている。感光体ベルト２７上に形成されたトナー像は中間転写体３９との接触部で中間転写体３９表面に転写され、該表面に保持される。
【００５０】
一方、トナー像転写後の感光体ベルト２７上は感光体ベルト２７表面に残留する電荷をイレーズランプ３３で除去した後、転写されずに残留したトナーをブレード３５により除去する構成になっている。
【００５１】
これら感光体ベルト２７表面を初期状態に戻す工程が終了した後、次色であるマゼンタ色のトナー像を同様に感光体ベルト２７表面に形成し、中間転写体３９表面上に保持されているシアン色のトナー像に重ねあわせて転写して中間転写体３９上に保持する。
同様の工程をイエロー、ブラック色についても繰り返し中間転写体３９上で４色のトナー像を重ね合わせると同時に該表面に保持する。
【００５２】
このようにして中間転写体３９の表面上に形成した４色のトナー像を記録媒体３８上に転写するために、給紙ローラ３４を回転させカセット４１に収納された記録媒体３８を１枚づつ分離し、レジストローラ３１まで搬送し記録媒体３８の斜行を補正した後、停止する。次いで、中間転写体３９上のトナー像と整合するようなタイミングでレジストローラ３１の回転を始動する。搬送される記録媒体の先端が中間転写体３９と接触すると同時に転写ローラ３２を記録媒体背面より押しつけ、中間転写体３９表面上の４色のトナー像を一度に記録媒体３８上に静電転写する。こうして記録媒体３８上にできあがった４色のトナー像は定着装置１の定着ローラと加圧部の間を通過することにより定着され電子写真装置３０の排紙部２９に排出され、印画の一連のプロセスを終了する。
【００５３】
本発明の定着装置の非印字状態における制御方法は、定着ローラの弾性層の変形量を低減するため、長時間放置された場合にも前回印字時からの時間に基づき、定着ローラを所定角度回転させることにより、弾性層の変形を低減することができる。
【００５４】
また、低温放置時と比較して、定着ローラ弾性層歪みの大きい高温放置時は、短い時間周期で定着ローラの所定回転動作を行なうことにより、放置温度条件によらず弾性層の小さい変形量を実現できる。
【００５５】
更に、定着ローラの弾性層の変形量を小さくすることにより、特にＯＨＰ印字時にあらわれる横帯状の画質不良を発生しにくくできる。
【図面の簡単な説明】
【００５６】
【図１】本発明の一実施例である定着装置の制御方法を実現する制御装置の模式図である。
【図２】本発明の一実施例である定着装置の非印字状態の制御方法を示すフローである。
【図３】定着装置の一構成を示す模式図である。
【図４】定着装置の他の構成を示す模式図である。
【図５】定着装置の定着ローラの変形例を示す模式図である。
【図６】記録媒体上に現れた画質不良の模式図である。
【図７】定着装置の弾性変形量と画質不良の関係を示す表である。
【図８】定着装置の定着ローラ弾性層の経時的な変形を示す力学モデルである。
【図９】図８の力学モデルに基づく定着ローラ弾性層の歪みの時間変化の一計算例を示すグラフである。
【図１０】図８の力学モデルに基づく定着ローラ弾性層の歪みの時間変化の他の計算例を示すグラフである。
【図１１】本発明による制御方法の効果を示すグラフである。
【図１２】本発明の他の実施例を説明するための高温状態の定着ローラの変形特性の模式図である。
【図１３】図８の力学モデルに基づく定着ローラ弾性層の歪みの時間変化の計算例を示すグラフである。
【図１４】本発明の他の実施例を説明するための高温状態および低温状態での定着ローラの所定角度回転無時の画質不良レベルを示すグラフである。
【図１５】本発明の他の実施例を説明するための高温状態および低温状態での定着ローラの所定角度回転有時の画質不良レベルを示すグラフである。
【図１６】本発明の他の実施例の制御方法のタイムチャート図である。
【図１７】本発明の他の実施例の制御方法を説明するフローである。
【図１８】本発明の制御方法を適用する電子写真装置の模式図である。
【符号の説明】
【００５７】
１…定着装置、２…定着ローラ、３…加圧ベルト、４…ヒータ、５…中空芯金、６…弾性層、７…離型層、８…ベルト、９ａ，９ｂ，９ｃ…加圧部材、１０…揺動アーム、１１…支持部材、１２ａ，１２ｂ，１２ｃ…加圧バネ、１３…支点、１４…記録媒体、１５…トナー、１６…加圧ローラ、１７…ヒータ、１８…中空芯金、１９…弾性層、２０…離型層、２１…加圧バネ、２２ａ，２２ｂ，２２ｃ…変形部、２３ａ，２３ｂ，２３ｃ…低透過特性箇所、２４…低摩擦部材、２５ａ，２５ｂ，２５ｃ，２５ｄ…現像器、２６…駆動ローラ、２７…感光体ベルト、２８…クリーナ、２９…排紙部、３０…電子写真装置、３１…レジストローラ、３２…転写ローラ、３３…イレーズランプ、３４…給紙ローラ、３５…ブレード、３６…従動ローラ、３７…帯電器、３８…記録媒体、３９…中間転写体、４０…露光装置、４１…カセット、４２ａ，４２ｂ…動力伝達部材、４３…温度センサ、４４…モータ、４５…位置検出器、４６…モータ駆動回路、４７…コントローラ、４８…ヒータ用電源。
【図１】
2005326639.tif 000005
【図２】
2005326639.tif 000006
【図３】
2005326639.tif 000007
【図４】
2005326639.tif 000008
【図５】
2005326639.tif 000009
【図６】
2005326639.tif 000010
【図７】
2005326639.tif 000011
【図８】
2005326639.tif 000012
【図９】
2005326639.tif 000013
【図１０】
2005326639.tif 000014
【図１１】
2005326639.tif 000015
【図１２】
2005326639.tif 000016
【図１３】
2005326639.tif 000017
【図１４】
2005326639.tif 000018
【図１５】
2005326639.tif 000019
【図１６】
2005326639.tif 000020
【図１７】
2005326639.tif 000021
【図１８】
2005326639.tif 000022